(57)【要約】      （修正有）【課題】手動制御電圧調整及び従来のＰＷＭ信号制御の方式を整合して、ラジェータの動作を制御するラジェータ制御装置を提供する。【解決手段】ラジェータ制御装置２は、ポテンシオスタット２０と、電圧レギュレータ２２と、変換ユニット２４とを備えて、そのうち、ポテンシオスタットがパソコンのマザーボードのＣＰＵ１に電気的に接続され、ＰＷＭ信号Ｓ１を受信するとともに定電圧のある電源信号Ｓ２を出力する。電圧レギュレータが該ポテンシオスタットに電気的に接続され、定電圧のある電源信号の電圧の大きさを調整する。変換ユニットが該ポテンシオスタット、該電圧レギュレータ及びラジェータ３に電気的に接続され、定電圧のある電源信号で該ラジェータを制御する第１の制御モードと、可変定電圧のある電源信号で該ラジェータを制御する第２の制御モードの切替とする。【選択図】図１
0003141274.tif 000002
【実用新案登録請求の範囲】
【請求項１】
パソコンのマザーボード上のＣＰＵが出力したＰＷＭ信号を受信するとともにラジェータを制御するラジェータ制御装置であって、
前記パソコンのマザーボードに電気的に接続され、ＰＷＭ信号を受信するとともに定電圧のある電源信号を送信するポテンシオスタットと、
前記ポテンシオスタットに電気的に接続され、定電圧のある電源信号の電圧の大きさを調整する電圧レギュレータと、
前記ポテンシオスタット、前記電圧レギュレータ及び前記ラジェータに電気的に接続され、定電圧のある電源信号で前記ラジェータを制御する第１の制御モードと、可変定電圧のある電源信号で前記ラジェータを制御する第２の制御モードを切替える変換ユニットと、を備えるラジェータ制御装置。
【請求項２】
さらに、前記変換ユニットに電気的に接続され、前記第１の制御モードまたは前記第２の制御モードの指示を提供する動作指示ユニットを備えることを特徴とする請求項１記載のラジェータ制御装置。
【請求項３】
前記動作指示ユニットは、発光ダイオードにより実施されることを特徴とする請求項２記載のラジェータ制御装置。
【請求項４】
前記ラジェータは、放熱ファンであることを特徴とする請求項１記載のラジェータ制御装置。
【請求項５】
前記ラジェータは、冷却ポンプであることを特徴とする請求項１記載のラジェータ制御装置。
【請求項６】
パソコンのマザーボード上のCPUが出力したPWM信号を受信するとともにラジェータを制御するラジェータ制御装置であって、
可変出力電圧を出力する電圧レギュレータと、
前記パソコンのマザーボード及び前記電圧レギュレータに電気的に接続され、第１の制御モード及び第２の制御モードの切替を提供する変換ユニットと、
前記変換ユニット及び前記ラジェータに電気的に接続され、前記変換ユニットが出力した信号のピークレベルを定電圧として、ラジェータに出力するポテンシオスタットと、を備え、
そのうち、前記変換ユニットが第１の制御モードに切り替えられると、前記変換ユニットがＰＷＭ信号を前記ポテンシオスタットに出力し、前記変換ユニットが第２の制御モードに切り替えられると、前記変換ユニットが可変出力電圧を前記ポテンシオスタットに出力することを特徴とするラジェータ制御装置。
【請求項７】
さらに、前記変換ユニットに電気的に接続され、前記第１の制御モードまたは前記第２の制御モードの指示を提供する動作指示ユニットを備えることを特徴とする請求項６記載のラジェータ制御装置。
【請求項８】
前記動作指示ユニットは、発光ダイオードにより実施されることを特徴とする請求項７記載のラジェータ制御装置。
【請求項９】
前記ラジェータは、放熱ファンであることを特徴とする請求項６記載のラジェータ制御装置。
【請求項１０】
前記ラジェータは、冷却ポンプであることを特徴とする請求項６記載のラジェータ制御装置。
【考案の詳細な説明】
【技術分野】
【０００１】
本考案は、ラジェータ制御装置に関し、特に、ＣＰＵが出力するＰＷＭ信号及び手動制御電圧調整方式を整合して、ラジェータの動作を制御するラジェータ制御装置に関するものである。
【背景技術】
【０００２】
半導体技術の継続的な進歩に伴い、集積回路（Ｉｎｔｅｇｒａｔｅｄ  Ｃｉｒｃｕｉｔ：ＩＣ）の体積が小さくなりかつ演算速度も向上している。一般に、回路が稼動する時に、その中の電子素子の温度が高くなり、特にＩＣ素子の演算速度が高いほど発熱の状況が厳しくなる。
【０００３】
パソコンケース内の主な発熱はＣＰＵから発生し、ＣＰＵはマイクロパソコンの魂とも言え、そこで処理するデータが最も厖大で、演算速度も最も高く、発熱の状況も最も厳しい。そのゆえ、ケース内の温度が高すぎる時に、リアルタイムで処理できるようにするために，パソコンケース内において、ＣＰＵに対して温度を検出する必要がある。
【０００４】
一般に、パソコンケース内において、ともに簡単な放熱ファンで放熱させており、このような設計について、パソコンがオンされると放熱ファンが起動し始める。しかし、パソコンシステムが省電力モードに入るときにも、前記放熱ファンの設計が最大の放熱パワーで運転するため、このような設計がエネルギーを非常に消費し易く、時代の流れのニーズに合わない。
【０００５】
前記放熱ファンの設計の欠点に対して、Ｉｎｔｅｌ社が生産したマザーボードは、ＣＰＵの実際温度に応じて対応するＰＷＭ信号を出力させ、このＰＷＭ信号によってファンの回転速度を制御し、ＣＰＵの実際温度を有効に制御できるようになる。前記の制御方式は、帰還温度値に基づいて回転速度の調整に達するが、温度値が変動的なアナログ値であるため、検出した温度値と実際温度とが少々の誤差が生じる。そのため、ＣＰＵが検出した温度値に基づいて相対的に発生したＰＷＭ信号が、前記の誤差で制御遅延の現象を発生してしまう。
【考案の開示】
【考案が解決しようとする課題】
【０００６】
此れに鑑みて、本考案は、手動制御電圧調整及び従来のＰＷＭ信号制御の方式を整合して、従来のＣＰＵが生じたＰＷＭ信号には制御微調が遅いという欠点が存在することを解決できるラジェータ制御装置を提供する。
【課題を解決するための手段】
【０００７】
本考案によるラジェータ制御装置は、パソコンのマザーボード上のＣＰＵが出力したＰＷＭ信号を受信し並びにラジェータを制御する。本考案の第１実施例では、該ラジェータ制御装置は、ポテンシオスタット、電圧レギュレータ、及び変換ユニットを備える。
【０００８】
そのうち、ポテンシオスタットが前記パソコンのマザーボードのＣＰＵに電気的に接続され、ＰＷＭ信号を受け取るとともに定電圧のある電源信号を出力する。電圧レギュレータが前記ポテンシオスタットに電気的に接続され、定電圧のある電源信号の電圧の大きさを調整する。変換ユニットが前記ポテンシオスタット、前記電圧レギュレータ及び前記ラジェータに電気的に接続され、定電圧のある電源信号で前記ラジェータを制御する第１の制御モードと、可変定電圧のある電源信号で前記ラジェータを制御する第２の制御モードの切替とする。
【０００９】
本考案の第２実施例では、該ラジェータ制御装置は、変換ユニット、電圧レギュレータ、及びポテンシオスタットを備える。そのうち、変換ユニットが前記パソコンのマザーボードのＣＰＵに電気的に接続される。電圧レギュレータが前記変換ユニットに電気的に接続され、可変出力電圧を出力する。ポテンシオスタットが前記変換ユニット及び前記ラジェータに電気的に接続され、前記変換ユニットを介してＰＷＭ信号を受信するとともに定電圧のある電源信号を前記ラジェータに出力し、或いは前記変換ユニットを介して可変出力電圧を受けるとともに安定した前記可変出力電圧を前記ラジェータに出力する。よって、前記変換ユニットが定電圧のある電源信号で前記ラジェータを制御する第１の制御モードと、可変定電圧で前記ラジェータを制御する第２の制御モードの切替とする。
【考案の効果】
【００１０】
本考案によるラジェータ制御装置は、ポテンシオスタットと、電圧レギュレータと、変換ユニットとを備え、手動制御電圧調整及び従来のＰＷＭ信号制御の方式を整合して、ラジェータの動作を制御し、従来のＣＰＵが生じたＰＷＭ信号が前記の誤差で制御遅延が発生される現象を解決できる。
【考案を実施するための最良の形態】
【００１１】
本考案の特徴及び技術内容を、以下に本考案に関わる詳しい説明及び添付図面を参照することにより、深く且つ具体的な了解を得られるが、それらの添付図面が参考及び説明のみに使われ、本考案の主張範囲を狭義的に局限するものではないことは言うまでもないことである。
【００１２】
図１は、本考案の第１実施例のラジェータ制御装置の回路を示すブロック図である。本考案のラジェータ制御装置２は、パソコンケース中のマザーボード（図示せず）上のＣＰＵ１が出力したＰＷＭ信号Ｓ１を受信するとともにラジェータ３の動作を制御する。該ラジェータ制御装置２は、ポテンシオスタット２０と、電圧レギュレータ２２と、変換ユニット２４とを備える。
【００１３】
ポテンシオスタット２０は該パソコンのマザーボード上のＣＰＵ１に電気的に接続され、ＰＷＭ信号Ｓ１を受信するとともに定電圧のある電源信号Ｓ２を出力する。電圧レギュレータ２２が該定電圧のある電源信号Ｓ２の電圧の大きさを調整する。変換ユニット２４は該ポテンシオスタット２０と、該電圧レギュレータ２２と、該ラジェータ３に電気的に接続され、定電圧のある電源信号Ｓ２で該ラジェータ３を制御する第１の制御モードと、可変定電圧のある電源信号Ｓ２で該ラジェータ３を制御する第２の制御モードとを切替える。
【００１４】
ＣＰＵ１から出力したＰＷＭ信号Ｓ１は、ＣＰＵ１の実際温度に応じてその信号の使用率（ｄｕｔｙ  ｃｙｃｌｅ）を変更する。変換ユニット２４が切り替えられ、ラジェータ制御装置２が第１の制御モードに設定されると、ポテンシオスタット２０によりピークレベルを定電圧にした電源信号Ｓ２が、変換ユニット２４を介してラジェータ３に転送され、このときに、ラジェータ３の動作は、定電圧のある電源信号Ｓ２の使用率の変調によりコントロールされる。また、変換ユニット２４が切り替えられ、ラジェータ制御装置２が第２の制御モードに設定されると、電圧レギュレータ２２が変換ユニット２４を介してポテンシオスタット２０に電気的に接続され、定電圧のある電源信号Ｓ２の電圧の大きさを調整する。この時に、ラジェータ３の動作は、定電圧のある電源信号Ｓ２の使用率の変調及び電圧の大きさにコントロールされる。
【００１５】
変換ユニット２４には、さらに動作指示ユニット２６が電気的に接続される。該動作指示ユニット２６は発光ダイオードにより実施され、第１実施例では、赤色の発光ダイオード（標示せず）及び緑色の発光ダイオード（標示せず）により実施される。ラジェータ制御装置２が第１の制御モードに設定されると、赤色の発光ダイオードが点灯し、ラジェータ３は、定電圧のある電源信号Ｓ２の使用率の変調のみにコントロールされる。
【００１６】
変換ユニット２４が手動により切り替えられ、ラジェータ制御装置２が第２の制御モードに設定されると、使用者が電圧レギュレータ２２を手動制御により定電圧のある電源信号Ｓ２の電圧の大きさを調整し、ラジェータ３の動作を制御できる。このとき、緑色の発光ダイオードの輝度が電源信号Ｓ２の電圧の大きさに応じて変化し、例えば、ラジェータがファンである場合、電源信号Ｓ２の電圧が大きいほど、ファンの回転速度が高くなり、緑色の発光ダイオードの輝度がより明るくなる。
【００１７】
第１実施例では、使用者は、応用している装置が過熱であると判断した場合、電圧レギュレータ２２を直接的に手動調整し、ラジェータ３の動作を速くさせ、その後、ＰＷＭ機能によりラジェータ３を最適な動作状態までに調整する。
【００１８】
同様に、使用者がラジェータ３の動作がそれほど速くしなくても良いと思われると、電圧レギュレータ２２を直接的に手動調整し、ラジェータ３の動作を遅くさせ、その後、ＰＷＭ機能によりラジェータ３を最適な動作状態までに調整する。
【００１９】
このように、本考案によるラジェータ制御装置は、従来のＰＷＭ信号しかラジェータ３が制御されないことで存在する制御微調が遅い欠点を補完でき、使用者が最適な動作モードまでに手動調整でき、システムが最適な状態に位置できることになる。
【００２０】
前記のラジェータ３は放熱ファンであることが好ましい。該放熱ファンは、ＣＰＵファン、ケースファン、電源供給器ファン、表示カードファンまたはマザーボードファン等のいずれであってもよい。このように、パソコンケース内に複数の前記ラジェータ（ＣＰＵファン、ケースファン、電源供給器ファン、表示カードファン及びマザーボードファン等）が同時に装着される時に、これらの放熱ファンは、ともに、定電圧のある電源信号Ｓ２の使用率の変調にコントロールされ、あるいは、電源信号Ｓ２の使用率の変調及び電圧の大きさに同時にコントロールされる。これにより、ＣＰＵ１の実際温度に応じてその回転速度の速さや遅さを変更し、ひいてパソコンケース内全体の温度を調整できる。前記ラジェータ３は、ＰＷＭ制御の冷却ポンプ（ｃｏｏｌｅｒ  ｐｕｍｐ）であっても、同様に、電源信号Ｓ２及び電圧の大きさにコントロールされ、パソコンケース内の温度を調節できる。
【００２１】
図２を参照すると、本考案の第２実施例のラジェータ制御装置の回路を示すブロック図である。本考案のラジェータ制御装置４は、パソコンケース中のマザーボード（図示せず）上のＣＰＵ１が出力したＰＷＭ信号Ｓ１を受信するとともにラジェータ３の動作を制御する。該ラジェータ制御装置４は、ポテンシオスタット４０と、電圧レギュレータ４２と、変換ユニット４４とを備える。
【００２２】
変換ユニット４４が該パソコンのマザーボードのＣＰＵ１に電気的に接続される。電圧レギュレータ４２が該変換ユニット４４に電気的に接続され、可変出力電圧Ｖｍを出力する。ポテンシオスタット４０が該変換ユニット４４及び該ラジェータ３に電気的に接続され、該変換ユニット４４を介してＰＷＭ信号Ｓ１を受信するとともに定電圧のある電源信号Ｓ２を該ラジェータ３に出力する。或いは該変換ユニット４４を介して可変出力電圧Ｖｍを受けるとともに安定した該可変出力電圧Ｖｍを該ラジェータ３に出力する。よって、該変換ユニット４４は電圧のある電源信号Ｓ２で該ラジェータ３を制御する第１の制御モードと、可変定電圧Ｖｍで該ラジェータ３を制御する第２の制御モードの切替とする。
【００２３】
ＣＰＵ１から出力したＰＷＭ信号Ｓ１は、ＣＰＵ１の実際温度に応じてその信号の使用率（ｄｕｔｙ  ｃｙｃｌｅ）を変更する。変換ユニット４４が切り替えられ、ラジェータ制御装置４が第１の制御モードに設定されると、ポテンシオスタット４０によりピークレベルを定電圧とした電源信号Ｓ２が、ラジェータ３に転送され、この時に、ラジェータ３の動作は、定電圧のある電源信号Ｓ２の使用率の変調にコントロールされる。また、変換ユニット４４が切り替えられ、ラジェータ制御装置４が第２の制御モードに位置されると、電圧レギュレータ４２が変換ユニット４４を介してポテンシオスタット４０に電気的に接続され、可変出力電圧Ｖｍをポテンシオスタット４０に転送し、ラジェータ３を制御する。この時に、ラジェータ３の動作は、安定した可変出力電圧Ｖｍにコントロールされる。
【００２４】
変換ユニット４４には、さらに動作指示ユニット４６が電気的に接続される。該動作指示ユニット４６は発光ダイオードにより実施され、第２実施例では、赤色の発光ダイオード（標示せず）及び緑色の発光ダイオード（標示せず）により実施される。ラジェータ制御装置４が第１の制御モードに設定されると、赤色の発光ダイオードが点灯し、ラジェータ３は、定電圧のある電源信号Ｓ２の使用率の変調のみにコントロールされる。
【００２５】
変換ユニット４４が手動により切り替えられ、ラジェータ制御装置４が第２の制御モードに設定されると、使用者が電圧レギュレータ４２を手動制御により安定した可変出力電圧Ｖｍの電圧の大きさを調整し、ラジェータ３の動作を制御する。このとき、緑色の発光ダイオードの輝度が電源信号Ｓ２の電圧の大きさに応じて変化し、例えば、ラジェータ３がファンである場合、電源信号Ｓ２の電圧が大きいほど、ファンの回転速度が高くなり、緑色の発光ダイオードの輝度がより明るくなる。
【００２６】
第２実施例では、使用者は、使用している装置が過熱であると判断した場合、使用者は第２の制御モードを選択し、電圧レギュレータ４２を直接的に手動調整し、ラジェータ３の放熱動作を速くさせることができる。逆に、使用者は、ラジェータ３の動作がそんなに速くしなくても良いと判断すると、電圧レギュレータ４２を直接的に手動調整し、ラジェータ３の放熱動作を遅くさせることができる。その後、使用者は、第１の制御モードをも選択でき、ＰＷＭ制御機能を介してラジェータ３を最適な動作状態までに調整することができる。
【００２７】
このように、本考案によるラジェータ制御装置は、従来のＰＷＭ信号しかラジェータ３が制御されないことで存在する制御微調が遅い欠点を補完でき、使用者が最適な動作モードまでに手動調整でき、システムが最適な状態に位置されることになる。
【００２８】
さらに図２を参照すると、前記のラジェータ３は放熱ファンである。該放熱ファンは、ＣＰＵファン、ケースファン、電源供給器ファン、表示カードファンまたはマザーボードファン等のどちらであってもよい。このように、パソコンケース内に複数の前記ラジェータ（ＣＰＵファン、ケースファン、電源供給器ファン、表示カードファン及びマザーボードファン等）が同時に装着される時に、これらの放熱ファンは、ともに、定電圧のある電源信号Ｓ２の使用率の変調にコントロールされ、あるいは、電圧レギュレータ４２が出力する該可変出力電圧Ｖｍの電圧の大きさにコントロールされ、パソコンケース内全体の温度を調整できる。前記ラジェータ３は、ＰＷＭ制御の冷却ポンプ（ｃｏｏｌｅｒ  ｐｕｍｐ）であっても、同様に、電源信号Ｓ２及び電圧の大きさにコントロールされ、パソコンケース内の温度を調節できる。
【００２９】
以上のように、本考案によるラジェータ制御装置は、ポテンシオスタットと、電圧レギュレータと、変換ユニットとを備え、手動制御電圧調整及び従来のＰＷＭ信号制御の方式を整合して、ラジェータの動作を制御し、従来のＣＰＵが生じたＰＷＭ信号が前記の誤差で制御遅延が発生される現象を解決できる。
【００３０】
唯、以上のように単に本考案の好ましい具体的な実施例に過ぎず、本考案の実用新案登録請求の範囲を限定するものではなく、いずれの当該分野における通常の知識を有する専門家は、本考案の分野の中で、適当に変更や修飾などを実施できるが、それらの実施が本考案の請求の範囲内に含まれるべきことは言うまでもないことである。
【図面の簡単な説明】
【００３１】
【図１】本考案の第１実施例のラジェータ制御装置の回路を示すブロック図である。
【図２】本考案の第２実施例のラジェータ制御装置の回路を示すブロック図である。
【符号の説明】
【００３２】
１  ＣＰＵ
２，４  ラジェータ制御装置
２０，４０  ポテンシオスタット
２２，４２  電圧レギュレータ
２４，４４  変換ユニット
２６，４６  動作指示ユニット
３  ラジェータ
Ｓ１  ＰＷＭ信号
Ｓ２  電源信号
Ｖｍ  可変出力電圧
【図１】
0003141274.tif 000003
【図２】
0003141274.tif 000004